(57)【要約】【課題】レーザ光源からの迷光がパッケージ内において受光部に回り込まないようにして光モジュールの光受信感度の劣化を防ぐことができる光モジュールを提供する。【解決手段】光モジュール１０は、レーザ光源２０と、レーザ光源２０から出射されるレーザ光のうち、一部のレーザ光を透過し、他の一部のレーザ光を分岐する光分岐手段２４と、光分岐手段２４によって分岐した他の一部のレーザ光を受光する受光部３０Ｐと、レーザ光源２０と光分岐手段２４と受光部３０Ｐとを収容するパッケージ１１とを少なくとも有し、パッケージ１１内には、パッケージ内において生じる迷光を低減するための迷光低減手段２００，２０１，２０２が設けられている。  【選択図】図１
2008153639.tif 000002
【特許請求の範囲】
【請求項１】
レーザ光源と、
前記レーザ光源を収容するパッケージと、を少なくとも有する光モジュールであって、
前記パッケージ内には、前記パッケージ内において生じる迷光を低減するための迷光低減手段が設けられていることを特徴とする光モジュール。
【請求項２】
さらに前記パッケージは、
前記レーザ光源から出射されるレーザ光のうち、一部のレーザ光を透過し、他の一部のレーザ光を分岐する光分岐手段と、
前記光分岐手段によって分岐した前記他の一部のレーザ光を受光する受光部と、を収容していることを特徴とする請求項１に記載の光モジュール。
【請求項３】
前記迷光低減手段は、前記迷光を遮蔽する迷光の遮蔽物であることを特徴とする請求項２に記載の光モジュール。
【請求項４】
前記迷光低減手段は、前記パッケージの内面の少なくとも一部を光吸収体もしくは光散乱体とすることで形成されることを特徴とする請求項２又は請求項３に記載の光モジュール。
【請求項５】
前記光吸収体もしくは前記光散乱体としている前記パッケージの内面は、前記レーザ光源の後方光が照射される面で形成されることを特徴とする請求項４に記載の光モジュール。
【請求項６】
前記レーザ光源は、それぞれが異なる波長のレーザ光を出射する複数のレーザ光源であり、
前記パッケージは、前記複数のレーザ光源から出射されるレーザ光を集束する光学素子を更に有することを特徴とする請求項１〜請求項５のいずれか１項に記載の光モジュール。
【請求項７】
前記光学素子は多モード干渉合分波器であることを特徴とする請求項６に記載の光モジュール。
【請求項８】
前記パッケージは、収容体と前記収容体の開口部を閉じるための蓋部材とからなり、
前記迷光低減手段は、前記蓋部材の内面を光吸収体もしくは光散乱体とすることで形成されていることを特徴とする請求項４〜請求項７のいずれか１項に記載の光モジュール。
【請求項９】
前記迷光低減手段は、前記レーザ光源の後方に出射される後方迷光を遮蔽する第１の遮蔽物を、前記パッケージ内であって前記レーザ光源の後方に更に備えることを特徴とする請求項３〜請求項８のいずれか１項に記載の光モジュール。
【請求項１０】
前記第１の遮蔽物は、表面を光吸収体もしくは光散乱体とすることを特徴とする請求項９に記載の光モジュール。
【請求項１１】
前記第１の遮蔽物は、前記蓋部材の内面に対して固定されていることを特徴とする請求項９または請求項１０に記載の光モジュール。
【請求項１２】
前記迷光低減手段は、前記受光素子を第２の遮蔽物で覆うことによって形成されていることを特徴とする請求項４〜請求項１１のいずれか1項に記載の光モジュール。
【請求項１３】
前記第２の遮蔽物は、表面を光吸収体もしくは光散乱体とすることを特徴とする請求項１２に記載の光モジュール。
【請求項１４】
前記受光部は、前記他の一部の前記レーザ光の出力を検出する第１の受光素子と、前記他の一部の前記レーザ光の波長を検出する第２の受光素子とからなることを特徴とする請求項１乃至請求項１３のいずれか１項に記載の光モジュール。
【発明の詳細な説明】
【技術分野】
【０００１】
本発明は、光モジュールに関し、特にレーザ光源と、レーザ光源から射出される光を受光する受光素子と、レーザ光源と受光素子を収容するパッケージとを有しており、パッケージ内における迷光を抑制（低減）することができる光モジュールに関する。
【背景技術】
【０００２】
光通信のために使用される光モジュールは、例えば送信用のレーザダイオードとフォトダイオードとこれらを収容するパッケージを有しており、レーザダイオードは送信光以外にいわゆる迷光を生じる。この迷光は、パッケージ内においてフォトダイオードに回り込んで、この迷光が信号光に対して雑音となる。
【０００３】
このため、光モジュールのフォトダイオードの光受信感度の劣化が避けられないために、迷光を遮蔽する試みがある。この迷光を遮蔽する方式としては、レーザダイオードが搭載された基板とフォトダイオードの間にフィルタを配置して、フィルタには金属膜を蒸着することで、レーザダイオードからの迷光がフォトダイオードに回り込まないようになっている（例えば、特許文献１を参照）。
【０００４】
【特許文献１】特開２００１−３０５３６５号公報
【発明の開示】
【発明が解決しようとする課題】
【０００５】
ところが、特許文献１に記載されている迷光を遮蔽する方式では、レーザ光源の後方に発生する後方迷光が遮断できないので、この後方迷光がパッケージ内においてフォトダイオードに回り込んで受光されてしまうおそれがある。また、レーザ光源の光を導く光学素子からも迷光が発生してパッケージ内においてフォトダイオードに回り込んで受光されてしまうことがある。
【０００６】
そこで、本発明は上記課題を解消するために、レーザ光源からの迷光がパッケージ内において例えば受光部に回り込まないようにして光モジュールの光受信感度の劣化を防ぐことができる光モジュールを提供することを目的とする。
【課題を解決するための手段】
【０００７】
上記課題を解消するために、本発明の光モジュールは、レーザ光源と、
前記レーザ光源を収容するパッケージと、を少なくとも有する光モジュールであって、
前記パッケージ内には、前記パッケージ内において生じる迷光を低減するための迷光低減手段が設けられていることを特徴とする。
【０００８】
本発明の光モジュールは、好ましくはさらに前記パッケージは、
前記レーザ光源から出射されるレーザ光のうち、一部のレーザ光を透過し、他の一部のレーザ光を分岐する光分岐手段と、
前記光分岐手段によって分岐した前記他の一部のレーザ光を受光する受光部と、を収容している。
【０００９】
本発明の光モジュールは、好ましくは前記迷光低減手段は、前記迷光を遮蔽する迷光の遮蔽物であることを特徴とする。
【００１０】
本発明の光モジュールは、好ましくは前記迷光低減手段は、前記パッケージの内面の少なくとも一部を光吸収体もしくは光散乱体とすることで形成されるであることを特徴とする。
【００１１】
本発明の光モジュールは、好ましくは前記光吸収体もしくは前記光散乱体としている前記パッケージの内面は、前記レーザ光源の後方光が照射される面で形成されることを特徴とする。
【００１２】
本発明の光モジュールは、好ましくは前記レーザ光源は、それぞれが異なる波長のレーザ光を出射する複数のレーザ光源であり、
前記パッケージは、前記複数のレーザ光源から出射されるレーザ光を集束する光学素子を更に有することを特徴とする。
【００１３】
本発明の光モジュールは、好ましくは前記光学素子は多モード干渉合分波器であることを特徴とする。
【００１４】
本発明の光モジュールは、好ましくは前記パッケージは、収容体と前記収容体の開口部を閉じるための蓋部材とからなり、
前記迷光低減手段は、前記蓋部材の内面を光吸収体もしくは光散乱体とすることで形成されていることを特徴とする。
【００１５】
本発明の光モジュールは、好ましくは前記迷光低減手段は、前記レーザ光源の後方に出射される後方迷光を遮蔽する第１の遮蔽物を、前記パッケージ内であって前記レーザ光源の後方に更に備えることを特徴とする。
【００１６】
本発明の光モジュールは、好ましくは前記第１の遮蔽物は、表面を光吸収体もしくは光散乱体とすることを特徴とする請求項７に記載の光モジュール。
【００１７】
本発明の光モジュールは、好ましくは前記第１の遮蔽物は、前記蓋部材の内面に対して固定されていることを特徴とする。
【００１８】
本発明の光モジュールは、好ましくは前記迷光低減手段は、前記受光素子を第２の遮蔽物で覆うことによって形成されていることを特徴とする。
【００１９】
本発明の光モジュールは、好ましくは前記第２の遮蔽物は、表面を光吸収体もしくは光散乱体とすることを特徴とする。
【００２０】
本発明の光モジュールは、好ましくは前記受光部は、前記他の一部の前記レーザ光の出力を検出する第１の受光素子と、前記他の一部の前記レーザ光の波長を検出する第２の受光素子とからなることを特徴とする。
【発明の効果】
【００２１】
本発明によれば、レーザ光源からの迷光がパッケージ内において例えば受光部に回り込まないようにして光モジュールの光受信感度の劣化を防ぐことができる。
【発明を実施するための最良の形態】
【００２２】
以下、図面を参照して、本発明の好ましい実施形態を詳細に説明する。  
図１は、本発明の光モジュールの好ましい実施形態を示す斜視図である。図２は、図１に示す光モジュールのパッケージ内部における各光学素子の配置例を示す平面図である。
【００２３】
図１と図２に示す光モジュール１０は、箱状のパッケージ１１と、このパッケージ１１の内部に収容されたレーザ光源２０と複数の光学素子とを有している。
【００２４】
光学素子としては、多モード干渉型光合分波器(ＭＭＩ：Ｍｕｌｔｉ−ｍｏｄｅ（登録商標）ｉｎｔｅｒｆｅｒｅｎｃｅ、多モード干渉導波路ともいう)２１と、半導体光増幅器（ＳＯＡ：Ｓｅｍｉｃｏｎｄｕｃｔｏｒ  Ａｍｐｌｉｆｉｅｒ）２２と、レンズ２３と、光アイソレータ（光分岐手段）としてのビームスプリッタ２４と、受光部３０Ｐの第１の受光素子３１と第２の受光素子３２である。第１の受光素子３１と第２の受光素子３２としては、例えばフォトダイオードを使用することができる。
【００２５】
レーザ光源２０は、例えば分布帰還型レーザ（ＤＦＢ：Ｄｉｓｔｒｉｂｕｔｅｄ  ｆｅｅｄｂａｃｋ  ｌａｓｅｒ）である。レーザ光源２０は、複数のレーザ光発生部３０とこれらのレーザ光発生部３０が配列されている基板３１を有している。
【００２６】
図１の光モジュール１は例えば光通信に用いられ、光送信機能と光受信機能の両方を備える光送受信装置として用いられる。
【００２７】
図１に示すパッケージ１１は、収容体１２と蓋部材１３を有しており、蓋部材１３は収容体１２の長方形の開口部１４を閉鎖して、各光学素子を外部から密封するための部材である。
【００２８】
パッケージ１１は、例えば電気絶縁性を有する材料、一例としてプラスチックにより作られている。収容体１２は底面部１２Ａと側面部１２Ｂ〜１２Ｆを有している。収容体１２の内面１８には、例えばレイデント処理による黒色化により迷光低減被膜（迷光抑制被膜ともいう）２０１が形成されている。同様にして、蓋部材１３の内面１９は、例えばレイデント処理による黒色化により迷光低減被膜（迷光抑制被膜ともいう）２００が形成されている。
【００２９】
これにより、収容体１２の内面１８の迷光低減被膜２０１と蓋部材１３の内面１９の迷光低減被膜２００は、それぞれパッケージ１１内に発生する迷光の波長を吸収して迷光の反射率を低下させることで、迷光を抑制あるいは減少させることができる迷光低減手段である。
【００３０】
この黒色化処理は、迷光低減処理（あるいは迷光抑制処理ともいう）ともいい、例えば具体的には、四三酸化鉄、カーボンブラックなどの使用波長帯に対して光吸収効果のある黒色系の材料を用いて、化学的な方法で蓋部材１３の内面１８と収容体１２の内面１９にそれぞれ迷光低減被膜２００，２０１をそれぞれ形成する。
【００３１】
迷光低減処理による黒色の度合いであるが、これに限定されず黒色に近い濃灰色系、紺色系、茶色系などであってもよい。すなわち、一度の反射により迷光が吸収されなくても、数回の反射のうちに迷光を吸収させる色であれば採用できる。
【００３２】
上述したように、迷光低減被膜２００，２０１は、収容体１２の内面と蓋部材１３の内面に形成された迷光を抑制あるいは減少させるための迷光抑制手段の一例である。
【００３３】
ここで、迷光低減手段としては、光吸収体もしくは光散乱体を採用できる。光吸収体としては、上述したような表面黒色化処理によって形成される。表面黒色化処理としては、無電解ニッケルメッキ、レイデント処理などである。また、光散乱体については、光を乱反射させる、もしくは反射の方向を変えることによって受光部に結合する光を低減する。例えば光散乱体としては、表面に凹凸構造を形成することで得られる。
【００３４】
本発明の実施形態における光モジュール１０で発生する迷光について説明すると、前方迷光１０１とは、レーザ光源２０の前方端面から出射されるレーザ光のうち多モード干渉型光合分波器２１によっては結合されないレーザ光である。後方迷光１００とは、レーザ光源２０の後方端面から出射されるレーザ光である。
【００３５】
このうち、本発明の実施形態における光モジュール１０では、レーザ光源（レーザ素子ともいう）２０の後方端面に反射膜を形成していないために後方迷光の影響が大きくなるを低減するようになっている。レーザ光源２０の後方端面に反射膜を形成していないのは、前方端面と後方端面の反射率が違うと、出射するレーザ光の波長がずれてしまうからである。このため、レーザ光源２０の後方迷光に対する対策が重要である。
【００３６】
次に、図１と図２を参照して、パッケージ１１内の各光学素子の配置例について説明する。
図１と図２に示すように、収容体１２の上部の開口部１４は、蓋部材１３により閉じることで、パッケージ１１の内部に対して外部の光が入らないように遮断することができる。
【００３７】
図２に示すように、レーザ光源２０は、収容体１２の底面部１２Ａの内面において、第１端部５１側に配置されている。この第１端部５１は、収容体１２の側面部１２Ｃに対応する位置である。ビームスプリッタ２４は、収容体１２の底面部１２Ａの内面において、第２端部５２側に配置されている。この第２端部５２は、収容体１２の側面部１２Ｆに対応する位置である。
【００３８】
図２に示すように、これらの第１端部５１と第２端部５２の間には、収容体１２の底面部１２Ａの内面において、多モード干渉型光合分波器２１と半導体光増幅器２２とレンズ２３が、配置されている。
【００３９】
受光素子３０Ｐは、第１の受光素子３１と第２の受光素子３２からなる。第１の受光素子３１は他の一部のレーザ光ＬＬ１，ＬＬ２の出力を検出する。他の一部の前記レーザ光ＬＬ１，ＬＬ２の波長を検出する。
【００４０】
図２に示すように、第１の受光素子３１は、収容体１２の底面部１２Ａの内面において、レンズ２３とビームスプリッタ２４の付近に配置されており、第２の受光素子３２は、収容体１２の底面部１２Ａの内面において、半導体光増幅器２２とレンズ２３の付近に配置されている。第２の受光素子３２は第１の受光素子３１に比べて、側面部１２Ｂ寄りに配置されている。
【００４１】
上述したように収容体１２内に配置されているレーザ光源２０が、波長が互いに異なるレーザ光Ｌ１〜Ｌ６を任意の組み合わせで発生すると、これらの任意に組み合わされて発生された少なくとも２種類以上のレーザ光Ｌ１〜Ｌ６が、多モード干渉型光合分波器２１に入力されて合成（合波）される。
【００４２】
合成されたレーザ光は、半導体光増幅器２２により光増幅されてレーザ光ＬＬとしてレンズ２３を通過することで集光されて、ビームスプリッタ２４により反射されるとともに、レーザ光ＬＬの一部がビームスプリッタ２４を透過して、コネクタ４６の外部の光ファイバ４７に導かれる。このコネクタ４６は、パッケージ１１の側面部１２Ｆに設定されており、光ファイバ４７を着脱可能に接続できる。
【００４３】
このように、レーザ光源２０が、波長が互いに異なるレーザ光Ｌ１〜Ｌ６を任意の組み合わせで発生すると、レーザ光源２０と多モード干渉型光合分波器２１からそれぞれパッケージ１１内において迷光が発生する。すなわち、レーザ光源２０からは、後方迷光１００が、後方に向けて（側面部１２Ｃに向けて）発生する。この後方迷光１００が、パッケージ１１内を反射して第１の受光素子３１と第２の受光素子３２に結合してしまうのを防ぐ必要がある。
【００４４】
また、多モード干渉型光合分波器２１の脇から前方迷光１０１が前方に向けて発生する。この前方迷光１０１がレンズ２３を通じて第１の受光素子３１と第２の受光素子３２に結合してしまうのを防ぐ必要がある。このようにしないと、第１の受光素子３１と第２の受光素子３２の受光信号に誤差が生じてしまうからである。
【００４５】
そこで、本発明の実施形態では、上述した後方迷光１００と前方迷光１０１が第１の受光素子３１と第２の受光素子３２に到達するのを抑制または減少させるために、すでに述べた迷光の低減手段が施されている。迷光低減手段としては、上述したように、収容体１２の内面１９には迷光低減被膜２０１が形成され、蓋部材１３の内面１８には迷光低減被膜２００が形成されている。
【００４６】
これらの迷光低減被膜２００，２０１の他に、図１と図２および図３と図４に示すように、蓋部材１３の内面１８には、迷光の遮蔽物（第１の遮蔽物の一例）６０が設けられている。この遮蔽物６０は、断面Ｌ字型に形成されている板状部材である。この迷光の遮蔽物６０には、蓋部材１３の内面１８と収容体１２の内面１９に形成されている迷光低減被膜２００，２０１と同様の迷光低減被膜２０２が形成されている。
【００４７】
図４に示すように、蓋部材１３が収容体１２の開口部１４を閉鎖すると、この遮蔽物６０は、レーザ光源２０と側面部１２Ｃの間において、Ｖ方向に沿って配置されるようになっている。
【００４８】
さらに、図４と図５に示すように、第１の受光素子３１と第２の受光素子３２には、それぞれ箱形の迷光の遮蔽物７１が配置されている。これらの遮蔽物７１は、受光素子カバーともいい、後方迷光１００と前方迷光１０１が第１の受光素子３１と第２の受光素子３２に到達するのを抑制または減少させるために、例えば図５に示す遮蔽物７１の内面７２と外面７３には、好ましくは部材１３の内面１８と収容体１２の内面１９に形成されている迷光低減被膜２００，２０１と同様の迷光低減被膜が形成されている。なお、遮蔽物７１は、第１受光素子３１に比べてレーザ光源２０と多モード干渉型光合分波器２１により近い第２受光素子３２だけに配置してもよい。
【００４９】
さらに、好ましくはビームスプリッタ２４の反射率を上げることにより、第１の受光素子３１と第２の受光素子３２に対して入る信号光を増やすことで、第１の受光素子３１と第２の受光素子３２に必要なＳ／Ｎ（信号光／迷光）を確保する。
【００５０】
上記パッケージ１１の蓋部材１３の内面１８と収容体１２の内面１９に迷光低減被膜２００，２０１を形成し、かつ遮蔽物６０を設ける組み合わせを採用することができる。
【００５１】
また、パッケージ１１の蓋部材１３の内面１８と収容体１２の内面１９に迷光低減被膜２００，２０１を形成し、かつ遮蔽物６０を設けて、しかも第１の受光素子３１と第２の受光素子３２対してそれぞれ遮蔽物７１を配置する組み合わせを採用することが好ましい。
【００５２】
上述した組み合わせに対して、ビームスプリッタ２４の反射率を上げることを同時に採用しても良い。
【００５３】
ここで、光モジュールにおいて迷光の低減処置をしていない従来の比較例と、本発明の実施形態において迷光低減処置を施した実施例について、迷光が低減された具体例を比較して説明する。
【００５４】
【表１】
2008153639.tif 000003
表１では、本発明の範囲外である比較例１〜比較例１５と、本発明の実施形態における実施例１〜実施例１３において、第１の受光素子（ＰＤ１）と第２の受光素子（ＰＤ２）がそれぞれ受光した迷光の大きさを示している。第１の受光素子（ＰＤ１）と第２の受光素子（ＰＤ２）がそれぞれ受光した迷光の大きさは、迷光を受光する際に生じる第１の受光素子（ＰＤ１）と第２の受光素子（ＰＤ２）が生じる電流値（μＡ）で示している。
【００５５】
比較例１〜９は、パッケージ内に何ら迷光の抑制処理が施されていない場合であり、比較例１０〜１５は、スカート（遮蔽物）がレーザ光源の後方には配置されてはいるが、このスカートには黒色化処理が施されていない場合である。
【００５６】
本発明の実施例１〜６は、本発明の実施形態におけるパッケージ１１の蓋部材１３の内面１８と収容体１２の内面１９に迷光低減被膜２００，２０１を形成している例であり、特に黒色化処理された蓋部材１３を用いている。
【００５７】
本発明の実施例７〜１３は、本発明の実施形態におけるパッケージ１１の蓋部材１３の内面１８と収容体１２の内面１９に迷光低減被膜２００，２０１を形成し、かつ黒色化処理が施された遮蔽物６０を設ける組み合わせの例である。
【００５８】
表１を参照すると明らかなように、比較例１〜１５に示すように、第１の受光素子と第２の受光素子で受ける迷光は、大きな値を示している。これに対して、本発明の実施例１〜６では、比較例１〜１５に比べて第１の受光素子と第２の受光素子で受ける迷光の値が抑制あるいは減少していることがわかる。同様にして、本発明の実施例７〜１３では、比較例１〜１５に比べて第１の受光素子と第２の受光素子で受ける迷光の値が抑制あるいは減少していることがわかる。
【００５９】
上述したパッケージ１１の収容体１２の底面部１２Ａの内面と側面部１２Ｂ〜１２Ｆの内面に黒色化処理のような迷光抑制処理を施して蓋部材１３の内面に迷光抑制処理を施すことと、黒色化処理のような迷光抑制処理を施した迷光の遮蔽物６０をレーザ光源２０の後方に配置することのいずれか少なくとも一方を採用して、さらに第１の受光素子３１と第２の受光素子３２にそれぞれ遮蔽物７１を配置することと、ビームスプリッタ２４の反射率を上げて必要なＳ／Ｎを確保することを、任意に組み合わせることができる。
【００６０】
本発明の実施形態では、光モジュール１０は、レーザ光源２０と、レーザ光源２０から出射されるレーザ光のうち、一部のレーザ光を透過し、他の一部のレーザ光を分岐する光分岐手段２４と、光分岐手段２４によって分岐した他の一部のレーザ光を受光する受光部３０Ｐと、レーザ光源２０と光分岐手段２４と受光部３０Ｐとを収容するパッケージ１１とを少なくとも有し、パッケージ１１内には、パッケージ内において生じる迷光を低減するための迷光低減手段（例えば迷光低減被膜２００，２０１，２０２）が設けられている。これにより、レーザ光源からの迷光がパッケージ内において受光部に回り込まないようにして光モジュールの光受信感度の劣化を防ぐことができる。
【００６１】
本発明の実施形態では、迷光低減手段が、迷光を遮蔽する迷光の遮蔽物であれば、この遮蔽物を配置することで、迷光が受光部に回り込まないようにして光モジュールの光受信感度の劣化を防ぐことができる。
【００６２】
本発明の実施形態では、光モジュール１０は、レーザ光源２０と、レーザ光源２０を収容するパッケージ１１と、を少なくとも有している。そして、パッケージ１１内には、パッケージ１１内において生じる迷光を低減するための迷光低減手段が設けられている。これにより、レーザ光源２０からの迷光がパッケージ内において例えば受光部に回り込まないようにして光モジュールの光受信感度の劣化を防ぐことができる。
【００６３】
本発明の実施形態では、迷光低減手段は、パッケージの内面の少なくとも一部を光吸収体もしくは光散乱体とすることで形成されるので、迷光が受光部に回り込まないようにして光モジュールの光受信感度の劣化を防ぐことができる。
【００６４】
本発明の実施形態では、光吸収体もしくは前記光散乱体としているパッケージの内面は、レーザ光源の後方光が照射される面で形成されるので、レーザ光源の後方迷光を低減することができる。
【００６５】
本発明の実施形態の光モジュール１０では、レーザ光源２０は、それぞれが異なる波長のレーザ光を出射する複数のレーザ光源であり、パッケージ１１は、複数のレーザ光源から出射されるレーザ光を集束する光学素子としての多モード干渉型光合分波器２１を更に有する。これにより、複数のレーザ光源から出射されるレーザ光を集束することができる。
【００６６】
本発明の実施形態の光モジュール１０では、光学素子は多モード干渉合分波器である。
本発明の光モジュールは、迷光低減手段は、パッケージの内面の少なくとも一部を光吸収体もしくは光散乱体とすることで形成される。これにより、パッケージ内において生じる迷光の低減が行える。
【００６７】
本発明の実施形態の光モジュール１０では、パッケージ１１は、収容体１２と収容体１２の開口部を閉じるための蓋部材１３とからなり、迷光低減手段は、蓋部材１３の内面１８を光吸収体もしくは光散乱体とすることで形成されている。これにより、パッケージ内において生じる迷光の低減が行える。
【００６８】
本発明の実施形態の光モジュール１０では、迷光低減手段は、レーザ光源２０の後方に出射される後方迷光１００を遮蔽する第１の遮蔽物６０を、パッケージ１１内であってレーザ光源２０の後方に更に備える。これにより、パッケージ内においてレーザ光源から生じる後方迷光の低減が行える。
【００６９】
本発明の実施形態の光モジュール１０では、第１の遮蔽物６０は、表面を光吸収体もしくは光散乱体としている。これにより、パッケージ内においてレーザ光源から生じる後方迷光の低減がより確実に行える。
【００７０】
本発明の実施形態の光モジュールでは、第１の遮蔽物６０は、蓋部材１３の内面１８に対して固定されている。これにより、蓋部材１３を用いて収容体１２の開口部１４を閉鎖する際に、レーザ光源２０の後方において第１の遮蔽物６０を簡単に配置することができるので、第１の遮蔽物６０が増えても、光モジュールの組み立てが容易にできる。
【００７１】
本発明の実施形態の光モジュール１０では、迷光低減手段は、受光素子３１，３２を第２の遮蔽物７１で覆うことによって形成されている。これにより、受光素子３１，３２は第２の遮蔽物７１により迷光の影響を防ぐことができ、レーザ光源からの迷光がパッケージ内において受光部に回り込まないようにして光モジュールの光受信感度の劣化を防ぐことができる。
【００７２】
本発明の実施形態では、第１の遮蔽物は、表面を光吸収体もしくは光散乱体とすることにより、レーザ光源から生じる後方迷光の低減がより確実に行える。
【００７３】
本発明の実施形態では、第１の遮蔽物は、蓋部材の内面に対して固定されていることで、簡単にパッケージ内に第１の遮蔽物を配置できる。
【００７４】
本発明の実施形態では、迷光低減手段は、受光素子を第２の遮蔽物で覆うことによって形成されているので、パッケージ内の迷光が受光素子に入るのを低減できる。
【００７５】
本発明の実施形態の光モジュールでは、受光部３０Ｐは、他の一部のレーザ光ＬＬ１，ＬＬ２の出力を検出する第１の受光素子３１と、他の一部の前記レーザ光ＬＬ１，ＬＬ２の波長を検出する第２の受光素子３２とからなる。これにより、他の一部のレーザ光ＬＬ１，ＬＬ２の出力と波長を、迷光の影響を防ぎながら検出することができる。
【００７６】
本発明の実施形態の光モジュールでは、光散乱体が設けられることにより、パッケージ内に発生する迷光のトータルパワーが分散されるので、受光部に対する迷光の光量が減少できることから、光モジュールの光受信感度の劣化を防ぐことができる。
【００７７】
また、本発明の実施形態の光モジュールでは、光散乱体が設けられることにより、迷光はパッケージ内で多重反射して迷光の光路長を伸ばすことで迷光の光量を減らすことができ、受光部に対する迷光の光量が減少できることから、光モジュールの光受信感度の劣化を防ぐことができる。
【００７８】
次に、本発明の別の実施形態について説明する。
図６は、レーザ光源５２０と、パッケージ５１１を示している。パッケージ５１１は収容体５１２と蓋部材５１３を有しており、パッケージ５１１内には、レーザ光源５２０、受光部５７０、レンズ５７１，５７２、受光部５７３を収容している。パッケージ５１１の収容体５１２と蓋部材５１３は、図１を参照してすでに説明したパッケージ１１の収容体１２と蓋部材１３と同様に迷光低減手段２００，２０１が設けられている。
【００７９】
収容体５１２には、光ファイバ５４７の光入射端部５４８が配置されており、光入射端部５４は斜めに傾斜して形成されている。レーザ光源５２０のレーザ光Ｌはコリメート用のレンズ５７１，５７２を経て光ファイバ５４７の光入射端部５４８に入射されるとともに、受光部５７３に入射される。しかも、レーザ光源５２０の出力を検出するために、受光部５７０がレーザ光源５２０の背面光を検出するようになっている。受光部５７０，５７３は、共に迷光の遮蔽物５９０により囲まれて配置されているので、レーザ光源５２０からのレーザ光Ｌあるいは背面光により生じる迷光が受光部５７０，５７３に入射するのを防ぐことができる。
【００８０】
なお、図６において光ファイバ５４７の光入射端部５４８を斜めに形成せずに、レーザ光Ｌはレンズ５７１，５７２を介して直接光ファイバ５４７に入射するだけであっても良い。
【００８１】
図７は、多モード干渉型光合分波器２１の付近に迷光の遮蔽物６００を配置した例を示している。迷光の遮蔽物６００は、多モード干渉型光合分波器２１の脇から出る前方迷光１０１を遮蔽することで、パッケージ内に迷光が生じないようにしている。
【００８２】
図８と図９の例では、図３と図４に示す迷光の遮蔽物６０の代わりに迷光の遮蔽物６０Ｒが配置されている。この迷光の遮蔽物６０Ｒは、迷光の遮蔽物６０に比べてさらに延長して形成されており、断面Ｌ字型ではなく断面Ｕ字型に形成されている。これにより、レーザ光源２０のレーザ光により生じる迷光や後方迷光を減らすことができる。
【００８３】
本発明の光モジュールの実施形態では、図１と図２に示すように、パッケージ１１の収容体１２内には複数の光学部品、例えばレーザ光源２０や多モード干渉型光合分波器２１や受光素子３１，３２などが配置されなければならない。従って、これら複数の光学部品に対応してそれぞれ迷光を低減する複数の迷光低減部品が、収容体１２内に配置できるようにするには、パッケージ１１の容積を大きくしなければならず、光モジュールの大型化が避けられなくなることがある。
【００８４】
しかし、本発明の実施形態では、収容体１１内だけでなくパッケージ１１の蓋部材１３側には、迷光低減部品、例えば図１、図３および図４に示すような迷光の遮蔽物６０や図８と図９に示すような迷光の遮蔽物６０Ｒを取り付けることができる。しかも蓋部材１３の内面には迷光低減被膜２００が形成できる。
【００８５】
本発明の実施形態は、収容体１２内に迷光低減部品を配置するのに加えて、さらに蓋部材１３を利用して迷光低減部品を追加して設けることが可能である。あるいは本発明の実施形態は、収容体１２内に配置すべき迷光低減部品の数を減らす代わりに、蓋部材１３側に迷光低減部品を追加して設けることが可能である。
【００８６】
このように蓋部材１３側に迷光低減部品を設けても、収容体１２内に複数の光学部品を配置するのには邪魔にはならず、蓋部材１３側の迷光低減部品は、収容体１２内に配置された複数の光学部品に容易に対応して配置させることができる。
【００８７】
ところで、本発明は、上記実施形態に限定されず種々の変形例を採用できる。
例えば、レーザ光源の種類は、上述した分布帰還型レーザに限らず、他の種類を採用しても良い。また、受光素子の数は、２つに限らず、１つまたは３つ以上であっても良い。
迷光の遮蔽物６０の形状は、図１と図２の例に限らず他の形状を採用しても良い。
【図面の簡単な説明】
【００８８】
【図１】本発明の光モジュールの好ましい実施形態を示す斜視図である。
【図２】図１に示す光モジュールのパッケージ内部における各光学素子の配置例を示す平面図である。
【図３】光モジュールのパッケージの蓋部材と迷光の遮蔽物を示す図である。
【図４】光モジュールのパッケージの内部を示す図である。
【図５】受光素子に配置される迷光の遮蔽物を示す図である。
【図６】本発明の別の実施形態を示す斜視図である。
【図７】本発明の別の実施形態を示す平面図である。
【図８】本発明の別の実施形態のパッケージの蓋部材を示す図である。
【図９】図８の実施形態のパッケージの内部を示す図である。
【符号の説明】
【００８９】
１０      光モジュール
１１      パッケージ
１２      収容体
１３      蓋部材
２０      レーザ光源
２１      多モード干渉型光合分波器（光学素子の一例）
２２      半導体光増幅器
２３      レンズ
２４      光アイソレータとしてのビームスプリッタ（光分岐手段の一例）
３０Ｐ    受光部
３１      第１受光素子
３２      第２受光素子
６０      迷光の遮蔽物（第１の遮蔽物の一例）
７１      迷光の遮蔽物（第２の遮蔽物の一例）
１００    後方迷光
１０１    前方迷光
２００，２０１，２０２（迷光低減手段）
ＬＬ      レーザ光
【図１】
2008153639.tif 000004
【図２】
2008153639.tif 000005
【図３】
2008153639.tif 000006
【図４】
2008153639.tif 000007
【図５】
2008153639.tif 000008
【図６】
2008153639.tif 000009
【図７】
2008153639.tif 000010
【図８】
2008153639.tif 000011
【図９】
2008153639.tif 000012